【手続補正書】
【提出日】平成19年8月1日(2007.8.1)
【手続補正１】
【補正対象書類名】特許請求の範囲
【補正対象項目名】全文
【補正方法】変更
【補正の内容】
【特許請求の範囲】
【請求項１】
認証サーバと通信可能な情報処理装置であって、
前記情報処理装置を使用するユーザを識別するための識別情報を入力する識別情報入力手段と、
前記識別情報入力手段により入力された識別情報に対応する認証情報が記憶手段に記憶されている場合、当該認証情報に基づく認証処理が前記認証サーバにより行われるよう前記認証サーバに前記認証情報を送信する送信手段と、
前記送信手段による前記認証情報の送信に応答して前記認証サーバから受信する認証結果に基づいて、前記ユーザによる前記情報処理装置の使用を許可するか否かを判定する判定手段と、
前記識別情報入力手段により入力された識別情報に対応する認証情報が前記記憶手段に記憶されていない場合、当該識別情報に対応する認証情報を入力する認証情報入力手段と、
前記認証情報入力手段により認証情報が入力された場合に、入力された認証情報を前記識別情報入力手段により入力された識別情報に対応付けて前記記憶手段に記憶させる記憶制御手段とを有することを特徴とする情報処理装置。
【請求項２】
前記認証情報は、前記認証サーバを示すドメイン名を含み、
前記送信手段は、前記ドメイン名に対応する前記認証サーバに前記認証情報を送信することを特徴とする請求項１に記載の情報処理装置。
【請求項３】
前記認証情報は、前記識別情報に対応するユーザのユーザ名及びパスワードを含むことを特徴とする請求項１又は２に記載の情報処理装置。
【請求項４】
前記識別情報は、カードのＩＤ、指紋に基づく生体情報、虹彩に基づく生体情報のうちの少なくとも１つを含むことを特徴とする請求項１乃至３のいずれか１項に記載の情報処理装置。
【請求項５】
前記記憶手段を有することを特徴とする請求項１乃至４のいずれか１項に記載の情報処理装置。
【請求項６】
認証サーバと通信可能な情報処理装置における認証処理方法であって、
前記情報処理装置を使用するユーザを識別するための識別情報を入力する識別情報入力ステップと、
前記識別情報入力ステップで入力された識別情報に対応する認証情報が記憶手段に記憶されている場合、当該認証情報に基づく認証処理が前記認証サーバにより行われるよう前記認証サーバに前記認証情報を送信する送信ステップと、
前記送信ステップによる前記認証情報の送信に応答して前記認証サーバから受信する認証結果に基づいて、前記ユーザによる前記情報処理装置の使用を許可するか否かを判定する判定ステップと、
前記識別情報入力ステップで入力された識別情報に対応する認証情報が前記記憶手段に記憶されていない場合、当該識別情報に対応する認証情報を入力する認証情報入力ステップと、
前記認証情報入力ステップにより認証情報が入力された場合に、入力された認証情報を前記識別情報入力ステップにより入力された識別情報に対応付けて前記記憶手段に記憶させる記憶制御ステップとを有することを特徴とする認証処理方法。
【請求項７】
認証サーバと通信可能なコンピュータを制御するコンピュータプログラムであって、
前記コンピュータを使用するユーザを識別するための識別情報を入力する識別情報入力ステップと、
前記識別情報入力ステップで入力された識別情報に対応する認証情報がデータベースに記憶されている場合、当該認証情報に基づく認証処理が前記認証サーバにより行われるよう前記認証サーバに前記認証情報を送信する送信ステップと、
前記送信ステップによる前記認証情報の送信に応答して前記認証サーバから受信する認証結果に基づいて、前記ユーザによる前記情報処理装置の使用を許可するか否かを判定する判定ステップと、
前記識別情報入力ステップで入力された識別情報に対応する認証情報が前記データベースに記憶されていない場合、当該識別情報に対応する認証情報を入力する認証情報入力ステップと、
前記認証情報入力ステップにより認証情報が入力された場合に、入力された認証情報を前記識別情報入力ステップにより入力された識別情報に対応付けて前記データベースに記憶させる記憶制御ステップとコンピュータに実行させることを特徴とするコンピュータプログラム。
【請求項８】
前記認証情報は、前記認証サーバを示すドメイン名を含み、
前記送信ステップは、前記ドメイン名に対応する前記認証サーバに前記認証情報を送信することを特徴とする請求項７に記載のコンピュータプログラム。
【請求項９】
前記認証情報は、前記識別情報に対応するユーザのユーザ名及びパスワードを含むことを特徴とする請求項７又は８に記載の情報処理装置。
【請求項１０】
前記識別情報は、カードのＩＤ、指紋に基づく生体情報、虹彩に基づく生体情報のうちの少なくとも１つを含むことを特徴とする請求項７乃至９のいずれか１項に記載のコンピュータプログラム。
【手続補正２】
【補正対象書類名】明細書
【補正対象項目名】０００８
【補正方法】変更
【補正の内容】
【０００８】
本発明に係わる情報処理装置は、認証サーバと通信可能な情報処理装置であって、前記情報処理装置を使用するユーザを識別するための識別情報を入力する識別情報入力手段と、前記識別情報入力手段により入力された識別情報に対応する認証情報が記憶手段に記憶されている場合、当該認証情報に基づく認証処理が前記認証サーバにより行われるよう前記認証サーバに前記認証情報を送信する送信手段と、前記送信手段による前記認証情報の送信に応答して前記認証サーバから受信する認証結果に基づいて、前記ユーザによる前記情報処理装置の使用を許可するか否かを判定する判定手段と、前記識別情報入力手段により入力された識別情報に対応する認証情報が前記記憶手段に記憶されていない場合、当該識別情報に対応する認証情報を入力する認証情報入力手段と、前記認証情報入力手段により認証情報が入力された場合に、入力された認証情報を前記識別情報入力手段により入力された識別情報に対応付けて前記記憶手段に記憶させる記憶制御手段とを有することを特徴とする。
【手続補正３】
【補正対象書類名】明細書
【補正対象項目名】０００９
【補正方法】変更
【補正の内容】
【０００９】
本発明に係わる認証処理方法は、認証サーバと通信可能な情報処理装置における認証処理方法であって、前記情報処理装置を使用するユーザを識別するための識別情報を入力する識別情報入力ステップと、前記識別情報入力ステップで入力された識別情報に対応する認証情報が記憶手段に記憶されている場合、当該認証情報に基づく認証処理が前記認証サーバにより行われるよう前記認証サーバに前記認証情報を送信する送信ステップと、前記送信ステップによる前記認証情報の送信に応答して前記認証サーバから受信する認証結果に基づいて、前記ユーザによる前記情報処理装置の使用を許可するか否かを判定する判定ステップと、前記識別情報入力ステップで入力された識別情報に対応する認証情報が前記記憶手段に記憶されていない場合、当該識別情報に対応する認証情報を入力する認証情報入力ステップと、前記認証情報入力ステップにより認証情報が入力された場合に、入力された認証情報を前記識別情報入力ステップにより入力された識別情報に対応付けて前記記憶手段に記憶させる記憶制御ステップとを有することを特徴とする。
【手続補正４】
【補正対象書類名】明細書
【補正対象項目名】００１０
【補正方法】変更
【補正の内容】
【００１０】
本発明に係わるコンピュータプログラムは、認証サーバと通信可能なコンピュータを制御するコンピュータプログラムであって、前記コンピュータを使用するユーザを識別するための識別情報を入力する識別情報入力ステップと、前記識別情報入力ステップで入力された識別情報に対応する認証情報がデータベースに記憶されている場合、当該認証情報に基づく認証処理が前記認証サーバにより行われるよう前記認証サーバに前記認証情報を送信する送信ステップと、前記送信ステップによる前記認証情報の送信に応答して前記認証サーバから受信する認証結果に基づいて、前記ユーザによる前記情報処理装置の使用を許可するか否かを判定する判定ステップと、前記識別情報入力ステップで入力された識別情報に対応する認証情報が前記データベースに記憶されていない場合、当該識別情報に対応する認証情報を入力する認証情報入力ステップと、前記認証情報入力ステップにより認証情報が入力された場合に、入力された認証情報を前記識別情報入力ステップにより入力された識別情報に対応付けて前記データベースに記憶させる記憶制御ステップとコンピュータに実行させることを特徴とする。